(57)【要約】      （修正有）【課題】アスベスト含有建材除去処理の作業区域のアスベスト粉じんの排気を短時間で低減でき、かつ、作業区域の作業員の粉じんばく露量を少なくしばく露時間を短縮できるアスベスト粉じん低減システムを提供する。【解決手段】アスベスト粉じん低減システム１０は、アスベスト含有建材除去処理の作業区域１２を形成する天井面１４又は側面１６ｂ、１７ｂに、作業区域１２に給気する風導部１８を設ける。風導部１８は、作業区域１２に外気を給気するものである。作業区域１２には、風導部１８のほか、負圧除塵装置２０が設置され、作業区域１２の空気２４が排気され、作業区域１２が負圧状態にあるように設定されている。除去作業では、セキュリティーゾーン２２の出入口を閉じた状態で作業を行う。これにより、作業区域のアスベスト粉じんの排気を短時間で低減でき、かつ、作業区域の作業員の粉じんばく露量を少なくしばく露時間を短縮できる。【選択図】図１
2018109304.tif 000002
【特許請求の範囲】
【請求項１】
アスベスト含有建材除去処理の作業区域の天井面又は側面に、作業区域内に給気する風導部を設けることを特徴とするアスベスト粉じん低減システム。
【請求項２】
アスベスト含有建材を除去する壁面と作業員の間に送風することを特徴とする請求項１記載のアスベスト粉じん低減システム。
【発明の詳細な説明】
【技術分野】
【０００１】
本発明は、アスベスト含有建材除去処理の作業区域のアスベスト粉じんを低減するアスベスト粉じん低減システムに関するものである。
【背景技術】
【０００２】
アスベスト含有建材を除去処理する作業区域におけるアスベスト粉じん低減は、従来２つの手段で行われていた。
一つは、アスベスト含有建材を事前に湿潤する、もしくは、建材除去処理の作業中に作業区域の気中に浮遊するアスベスト粉じんを湿潤する、湿潤による方法である。しかし、この湿潤による方法では、建築仕上塗材の作業区域のアスベスト粉じんの低減は困難であった。建築物等の壁面等に施工されたアスベスト含有仕上塗材は、撥水性や防水性があり、湿潤することが困難であるため、建材除去時に作業区域の気中に浮遊するアスベスト粉じんを湿潤するのみであった。
もう一つは、作業区域内に発生したアスベスト粉じんを集塵排気装置にて濾過処理し、外気に放出して作業区域のアスベスト粉じんを低減する方法である。集塵排気装置の排気により作業区域内が負圧になり、セキュリティーゾーンから自然流入する外気で換気する方法である（たとえば、特許文献１）。
【先行技術文献】
【特許文献】
【０００３】
【特許文献１】２００９−１５５９５９号公報（図１）
【発明の概要】
【発明が解決しようとする課題】
【０００４】
特許文献１の図１におけるアスベスト含有建材処理作業区域のアスベスト粉じんを低減するアスベスト粉じん低減システムは、セキュリティーゾーンから作業場（作業区域）に外気を取り入れ排気するものである。粉じん作業現場は、密閉された作業場内と作業員出入り用のセキュリティーゾーンを備えている。外気は、セキュリティーゾーンを通して作業場内に取り入れられる。外気が取り入れられ、その空気の気流が作業場内全体を通過して排気されるよう、セキュリティーゾーンから最長距離の対角線上に負圧・集じん排気装置が設置される。
【０００５】
特許文献１に記載のアスベスト粉じん低減システムでは、セキュリティーゾーンを通して作業区域に外気が取り入れられる。しかし、作業区域に取り入れられた外気は、作業区域に、負圧・集じん排気装置に向かう気流や排気装置に向かわない気流（乱気流や停留）を発生させる。作業区域における乱気流や停留の発生は、粉じんの排気に多くの時間を要することになり、作業区域の作業員の粉じんばく露量が多くなり、またばく露時間が長くなる原因となっていた。
【０００６】
本発明は、上記問題を解決するものであって、アスベスト含有建材除去処理の作業区域のアスベスト粉じんの排気を短時間で低減でき、かつ、作業区域の作業員の粉じんばく露量を少なくしばく露時間を短縮できるアスベスト粉じん低減システムを提供することを目的とするものである。
【課題を解決するための手段】
【０００７】
本発明のアスベスト粉じん低減システムは、アスベスト含有建材除去処理の作業区域の天井面又は側面に、作業区域内に給気する風導部を設けるようにしたものである。また、アスベスト含有建材を除去する壁面と作業員の間に送風するようにしたものである。
【発明の効果】
【０００８】
本発明のアスベスト粉じん低減システムは、アスベスト含有建材除去処理作業区域に設ける風導部から作業区域に給気することにより、作業区域に一方向に流れる整流を生じさせるものである。これにより、作業区域のアスベスト粉じんの排気を短時間で行うことができることから、作業者の粉じんばく露量の低減、ばく露時間の短縮が可能になり、作業区域の作業環境を改善することができる。
【図面の簡単な説明】
【０００９】
【図１】本発明のアスベスト粉じん低減システムを表わす図である。
【図２】図１（ａ）の実施形態を示す図である。
【図３】図１（ａ）の他の実施形態を示す図である。
【図４】図２の作業区域における空気の流れを表わす立面図である。
【図５】図３の作業区域における空気の流れを表わす立面図である。
【発明を実施するための形態】
【００１０】
本発明は、アスベスト含有建材除去処理の作業区域に一方向に流れる整流を発生させることを実現するものである。
【実施例】
【００１１】
本発明のアスベスト粉じん低減システムを図１に基づいて説明する。図１は、本発明のアスベスト粉じん低減システムを表わす図である。
本発明のアスベスト粉じん低減システム１０は、アスベスト含有建材除去処理の作業区域１２の天井面１４又は側面１６ｂ、１７ｂに、作業区域１２に給気する風導部１８を設けるものである。風導部１８は、作業区域１２に外気を給気するものであるが、送風手段（給気装置）を用いて風導部１８に送風してもよい。
なお、本願のアスベスト含有建材除去処理の作業区域１２は、アスベスト含有建材を除去するための仮設作業場である。
図１（ａ）の風導部１８は、作業区域１２の天井面１４（仮設天井面）に設けた給気ダクトである。給気ダクト１８には、作業区域１２に外気を給気する給気口１９が設けられている（図２）。
図１（ｂ）の風導部１８は、作業区域１２の天井面１４に設けたシートであり、シート１８は天井面１４との間に外気２４を取り込むための空間１８ａを形成するように設けられている。シート１８には、作業区域１２に外気を給気する給気口が設けられている。
図１（ｃ）の風導部１８は、作業区域１２の天井面１４に設けた給気用の通風部である。通風部は、天井面１４に通風口（穴部）を設けて形成する。
作業区域１２には、風導部１８のほか、負圧除塵装置２０が設置されている。負圧除塵装置２０は、作業区域１２の空気２４を排気し、作業区域１２の負圧状態を保持するものである。
また、作業区域１２には、作業員が出入するセキュリティーゾーン２２が設置されている。本発明における除去作業時には、セキュリティーゾーン２２の出入口を閉じた状態で作業を行う。
【００１２】
図１（ａ）の風導部を設けたアスベスト粉じん低減システムを図２及び図３に基づいて説明する。図２は、図１（ａ）の実施形態を示す図であり、作業区域の天井面に給気ダクトを設けたものである。図３は、図１（ａ）の他の実施形態を示す図であり、作業区域の側面に給気ダクトを設けたものである。
図２及び図３の給気ダクト１８は、筒状に形成した養生シート（ポリエチレン）からなるものである。但し、他の素材からなるものでもよい。
給気ダクト１８には、作業区域１２（１２Ａ、１２Ｂ）に外気を給気する給気口１９が設けられている。作業区域１２内は負圧に保たれているため、給気ダクト１８の給気口１９を通じて作業区域１２に外気２４が吹き込まれる。
【００１３】
図２の作業区域１２Ａは、建物の外壁面１６ａに塗布又は貼付けされているアスベスト含有建材を除去する作業場である。外壁面１６ａに仮設足場２６が設けられ、その足場２６ａに乗った状態で作業員２８が外壁面１６ａのアスベスト含有建材を除去する。仮設足場２６には養生シート３０が取り付けられている。作業区域１２Ａは、養生シート３０と外壁面１６ａと側面１６ｂとから形成される作業空間である。側面１６ｂは、仮設されたものであり、養生シートにて形成され、養生シート３０と連続して設けられているものとする。
外壁面１６ａ及び養生シート３０の上部には、作業区域１２Ａを閉じる天井面１４が仮設されている。給気ダクト１８は、天井面１４に沿って設けられている。また、給気ダクト１８の給気口１９は、外壁面１６ａと作業員２８との間に向けて送風できるように配置されている。
なお、作業区域１２Ａの地面には養生シートまたは防水用ゴムが敷設されているものとする（図示せず）。また、作業区域１２Ａには負圧除塵装置２０が配置され、作業区域１２Ａは負圧状態にあるものとする。
【００１４】
図２の作業区域１２Ｂは、室内の壁面１７ａに塗布又は貼付けされているアスベスト含有建材を除去する作業場である。作業区域１２Ｂには、仮設足場３２が設けられ、その仮設足場３２に乗った状態で作業員２８がアスベスト含有建材を除去する。作業区域１２Ｂは、室内を区切る養生シート３４により形成されている。養生シート３４は、作業員２８の後方に設置される。
給気ダクト１８は作業区域１２Ｂの天井面に沿って設けられている。また、給気ダクト１８の給気口１９は、外壁面１６ａと作業員２８との間に向けて送風できるように配置されている。
なお、図２の作業区域１２Ｂでは、給気装置（ファン）３６を用いて給気ダクト１８に外気が送風されているものとする。また、作業区域１２Ｂには、負圧除塵装置２０が配置され、作業区域１２Ｂは負圧状態にある。
【００１５】
図２の作業区域１２Ａ及び作業区域１２Ｂにおいて、給気ダクト１８の給気口１９は、外壁面１６ａと作業員２８の間に送風できるように設けられている。アスベスト粉じんの濃度は、除去する壁面と作業員との間の作業空間において最も高い。作業空間に送風する給気口１９を設けることにより、作業空間のアスベスト粉じんの濃度を低減でき、作業員の作業環境を改善することができる。
【００１６】
図３の作業区域１２Ａ、１２Ｂは、給気ダクト１８の設置場所が異なる以外は、図２の作業区域１２Ａ、１２Ｂと同じである。図３の作業区域１２Ａ、１２Ｂにおいて、給気ダクト１８は作業区域１２Ａ、１２Ｂの側面１６ｂ、１７ｂに沿って設置されている。側面１７ｂは、アスベスト含有建材を除去する壁面１７ａ以外の室内の壁面である。
また、給気ダクト１８の給気口１９は、図２の作業区域１２Ａ、１２Ｂの給気ダクト１８の給気口１９と同様、壁面１６ａ、１７ａと作業員２８との間に向けて送風されるように配置されている。
なお、図３の作業区域１２Ａ、１２Ｂでは、給気装置３６を用いて給気ダクト１８に外気が送風されているものとする。
【００１７】
次に、作業区域１２Ａ、１２Ｂに給気ダクト１８の給気口１９から給気された外気（空気）２４の流れ（気流）について、図４及び図５に基づいて説明する。図４は、図２の作業区域１２Ａにおける空気の流れを表わす立面図である。図５は、図３の作業区域１２Ａにおける空気の流れを表わす立面図である。なお、図２の作業区域１２Ｂ及び図３の作業区域１２Ｂにおいても、図４及び図５に示す同じ気流が発生するため、説明は省略する。
図４において、作業区域１２Ａに給気ダクト１８から送り込まれた外気２４より生じる気流は、下降気流となる。作業区域１２Ａに垂直方向の気流を流すことにより、作業員２８は除去時に発生する粉じんに暴露されることはない。また、作業区域１２Ａに生じる下降気流は、乱気流や停留を発生させることなく、負圧除塵装置２０に向かって流れ、排気される。このように、本発明によると、作業区域内に、一方向に流れる整流を発生させることができる。これにより、作業区域のアスベスト粉じんの排気を短時間で行うことができることから、作業者の粉じんばく露量を低減でき、また、ばく露時間の短縮が可能になることから、作業区域の作業環境を改善できる。
図５においては、作業区域１２Ａに給気ダクト１８から送り込まれた外気２４より生じる気流は、水平気流となる。作業区域１２Ａに生じる水平気流は、乱気流や停留を発生させることなく、作業区域１２Ａ内に、一方向（負圧除塵装置２０の設置されている方向）に流れる整流を発生させることができる。これにより、作業区域のアスベスト粉じんの排気を短時間で行うことができることから、作業者の粉じんばく露量を低減でき、作業区域の作業環境を改善できる。
【００１８】
作業区域１２を負圧状態に保つことにより、作業区域１２を形成する養生シート１６ｂ、３０、３４の連続部分（シートとシートの隙間）からアスベスト粉じんが外部に漏れることを防止することができる。また、国立研究開発法人建築研究所発行の「建築物の改修・解体時における石綿含有建築用仕上塗材からの石綿粉じん飛散防止処理技術指針」平成２８年４月２８日（第３１頁）の処理工法区分である２（隔離不要）にも対応に準じた工法で施工することができる。
【００１９】
本発明によると、アスベスト粉じんの低減を図ることができるとともに、給気装置を用いて風導部に暖風または冷風を送風することにより、作業員に作業しやすい環境を与えることもできる。
【符号の説明】
【００２０】
１０  アスベスト粉じん低減システム
１２  作業区域
１４  天井面
１６ｂ、１７ｂ  側面
１８  風導部
【図１】
2018109304.tif 000003
【図２】
2018109304.tif 000004
【図３】
2018109304.tif 000005
【図４】
2018109304.tif 000006
【図５】
2018109304.tif 000007